【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
原稿上の画像を読み取るための読取手段と、前記読取手段を所定方向へ駆動するための駆動手段とを有するとともに、原稿が流し読み位置を通過するように該原稿を自動的に給送する自動原稿給送装置を装着可能である画像読取装置であって、
前記自動原稿給送装置が装着された際に該自動原稿給送装置を制御するための機能が少なくとも設けられている第１の制御ユニットと、
前記第１の制御ユニットとは別体に構成され、前記駆動手段を制御するための第２の制御ユニットと、
前記第１の制御ユニットと前記第２の制御ユニットとを接続するインタフェース手段とを備え、
前記第１の制御ユニットは、装置仕様を識別するための識別情報を保持する識別情報保持手段と、前記インタフェース手段を介して前記識別情報を前記第２の制御ユニットに対して通知する通知手段とを有し、
前記第２の制御ユニットは、前記第１の制御ユニットから通知された識別情報に応じた前記駆動手段に対する駆動プロファイルを作成する駆動プロファイル作成手段を有し、前記作成された駆動プロファイルに従って前記駆動手段を制御することを特徴とする画像読取装置。
【請求項２】
前記第２の制御ユニットは、前記識別情報と対応付けて前記駆動手段の駆動プロファイル作成に用いられるデータを記憶する記憶手段を有し、前記駆動プロファイル作成手段は、前記第１の制御ユニットから通知された識別情報に対応するデータに基づいて前記駆動手段に対する駆動プロファイルを作成することを特徴とする請求項１記載の画像読取装置。
【請求項３】
前記駆動手段は、前記読取手段を所定方向へ駆動するための駆動モータと、前記第２の制御ユニットによる制御に従って前記駆動モータを駆動する駆動回路とを有し、前記駆動回路は、前記第１の制御ユニット内に含まれ、
前記第２の制御ユニットは、前記インタフェース手段を介して、前記作成された駆動プロファイルに従って前記駆動手段の前記駆動回路に対して制御信号を出力することを特徴とする請求項１記載の画像読取装置。
【請求項４】
前記第２の制御ユニットは、前記第１の制御ユニットから通知された識別情報を認識することができない場合に、前記第１の制御ユニットに対して識別情報の再通知要求を行う再通知要求手段を有し、
前記第１の制御ユニットは、前記再通知要求を受け取ると、該再通知要求に応じて前記第２の制御ユニットが認識可能な識別情報を再通知することを特徴とする請求項１記載の画像読取装置。
【請求項５】
前記第１の制御ユニットは、前記インタフェース手段を介して、前記第２の制御ユニットの前記記憶手段に記憶されているデータを書き換えるデータ書き換え手段を有することを特徴とする請求項２記載の画像読取装置。
【請求項６】
前記記憶手段は、交換可能に設けられていることを特徴とする請求項２記載の画像読取装置。
【請求項７】
所定位置に置かれた原稿に対して前記読取手段を所定方向へ移動させることによって、前記原稿上の画像を読み取る原稿固定読みモードと、前記自動原稿給送装置を用いた原稿流し読みモードとを有し、
前記記憶手段に保持されているデータは、前記識別情報に応じて、少なくとも、前記原稿固定読みモードにおける前記読取手段の加速区間および減速区間と、等速区間の速度とをそれぞれ規定するためのデータであることを特徴とする請求項２記載の画像読取装置。
【請求項８】
請求項１記載の画像読取装置を備えることを特徴とする画像形成装置。
【手続補正２】
【補正対象書類名】明細書
【補正対象項目名】００１８
【補正方法】変更
【補正の内容】
【００１８】
ここでは、図１９に示すように、図１８に示す画像読取装置に対して、ＡＤＦ１３００が圧板１２１３に置き換えて装着されているものを説明する。ＡＤＦ１３００は、原稿を積載する原稿積載トレイ１３０１を有する。原稿積載トレイ１３０１上の原稿は１枚ずつ給紙ローラ１３０２，１３０３により給紙され、給紙ローラ１３０２，１３０３によって給紙された原稿は、搬送ローラ１３０５により、各ガイド１３０４，１３０７，１３０６に案内されながら、流し読み位置（流し読みウインドウ１２１２直上の位置）を通過するように搬送される。そして、原稿は、排紙トレイ１３０８上へ排紙される。
【手続補正３】
【補正対象書類名】明細書
【補正対象項目名】００２２
【補正方法】変更
【補正の内容】
【００２２】
画像読取装置１５００は、図２０に示すように、制御基板１５１７を有する。制御基板１５１７には、ＣＰＵ１５０１、ＲＯＭ１５０２、ＲＡＭ１５０３、画像処理用ＡＳＩＣ１５０５が搭載されており、これらはシステムバス１５０４を介して接続されている。ＣＰＵ１５０１は、ＲＯＭ１５０２に格納されているプログラムを読み出し、ＲＡＭ１５０３を作業領域としながら読み出されたプログラムに従ってシステム制御を行う。また、ＣＰＵ１５０１は、必要に応じて画像処理用ＡＳＩＣ１５０５内部に設けられているレジスタに対してデータをセットし、またＡＳＩＣ１５０５内部に設けられているメモリの内容の読み書きを行う。
【手続補正４】
【補正対象書類名】明細書
【補正対象項目名】００３９
【補正方法】変更
【補正の内容】
【００３９】
また、ＲＡＭ１５０３に格納されている速度テーブルは、図２２（ｂ）に示すように構成されている。この例は、上述したように、時刻ｔ０からｔ１までのデータのみを示す。例えば光学モータ１５０７の起動時には、まず、ＣＰＵ１５０１は、アドレス００００ｈのデータ（１２０００ｄ）を読み込む。ＣＰＵ１５０１は、発振器１７０１から入力されるシステムクロックをカウントし、そのカウント値が１２０００に達すると、モータクロックをＣＰＵ１５０１のポートＰから出力する。この出力されたモータクロックは、モータドライバへ入力されるとともに、ＣＰＵ１５０１の割り込み端子ＩＮＴにも入力される。ＣＰＵ１５０１は、上記割り込みが入力されると、速度テーブルのアドレス０００１ｈのデータ（１１５００ｄ）を読み込み、上記カウント値が１１５００に達すると、モータクロックを発生する。このように、ＣＰＵ１５０１は、順次、速度テーブルのデータの読み込み、対応するモータクロックを発生する。そして、モータドライバ１５０６は、読取部を加速移動させるように、上記モータクロックに基づいて光学モータ１５０７を駆動する。
【手続補正５】
【補正対象書類名】明細書
【補正対象項目名】００４０
【補正方法】変更
【補正の内容】
【００４０】
ＣＰＵ１５０１がアドレス０１４Ａｈのデータ（３０ｄ）を読み込み、上記カウント値が３０に達すると、読取部は３０ｍｍの距離を移動している。ここから、読取部は、２００ｍｍ／ｓの速度で等速移動し、原稿の読み取りが開始される。ここで、カウント値３０は、読取部を２００ｍｍ／ｓの速度で移動させるための処理である。
【手続補正６】
【補正対象書類名】明細書
【補正対象項目名】００４９
【補正方法】変更
【補正の内容】
【００４９】
図中、図２０に示す機能ブロックまたは部材と同一の機能ブロックまたは部材には、同一の符号が付されている。
【手続補正７】
【補正対象書類名】明細書
【補正対象項目名】００５９
【補正方法】変更
【補正の内容】
【００５９】
本発明は、上記目的を達成するため、原稿上の画像を読み取るための読取手段と、前記読取手段を所定方向へ駆動するための駆動手段とを有するとともに、原稿が流し読み位置を通過するように該原稿を自動的に給送する自動原稿給送装置を装着可能である画像読取装置であって、前記自動原稿給送装置が装着された際に該自動原稿給送装置を制御するための機能が少なくとも設けられている第１の制御ユニットと、前記第１の制御ユニットとは別体に構成され、前記駆動手段を制御するための第２の制御ユニットと、前記第１の制御ユニットと前記第２の制御ユニットとを接続するインタフェース手段とを備え、前記第１の制御ユニットは、装置仕様を識別するための識別情報を保持する識別情報保持手段と、前記インタフェース手段を介して前記識別情報を前記第２の制御ユニットに対して通知する通知手段とを有し、前記第２の制御ユニットは、前記第１の制御ユニットから通知された識別情報に応じた前記駆動手段に対する駆動プロファイルを作成する駆動プロファイル作成手段を有し、前記作成された駆動プロファイルに従って前記駆動手段を制御することを特徴とする画像読取装置を提供する。
【手続補正８】
【補正対象書類名】明細書
【補正対象項目名】００６５
【補正方法】変更
【補正の内容】
【００６５】
特定ユニット１００１には、ＣＰＵ１５０１、ＲＯＭ１５０２、ＲＡＭ１５０３、画像処理用ＡＳＩＣ１５０５，モータドライブ（Ｍ−ＤＲＶ）１５０６、Ｉ／Ｆ回路１００５ａおよびＩ／Ｆ回路１５１２が搭載されている。ＣＰＵ１５０１、ＲＯＭ１５０２、ＲＡＭ１５０３および画像処理用ＡＳＩＣ１５０５は、システムバス１５０４を介して接続されている。ＣＰＵ１５０１は、画像読取装置全体の制御を行うとともに、Ｉ／Ｆ回路１５１２を介してＡＤＦ１００６を制御する。
【手続補正９】
【補正対象書類名】図面
【補正対象項目名】図２２
【補正方法】変更
【補正の内容】
【図２２】
2006332860.tif 000001